(57)【要約】【課題】天井パネルの面揃え作業時に良好な作業性を得られるユニットルームを提供する。【解決手段】室内空間１４を画定するとともに隣り合う第１天井パネル及び第２天井パネルと、第１天井パネルの第１外辺部に沿ってスライド可能に取り付けられる第１取付部材２６を有し、第１取付部材２６のスライドに連動して、第１天井パネル及び第２天井パネルを上下方向に位置合わせ可能な位置合わせ機構と、を備え、第１取付部材２６は、第１取付部材２６をスライドさせるときに操作される操作部５２を有し、操作部５２は、室内空間１４から操作可能な位置に配置されるルームユニット。【選択図】図６
2018100581.tif 000002
【特許請求の範囲】
【請求項１】
室内空間を画定するとともに隣り合う第１天井パネル及び第２天井パネルと、
前記第１天井パネルの第１外辺部に沿ってスライド可能に取り付けられる第１取付部材を有し、前記第１取付部材のスライドに連動して、前記第１天井パネル及び前記第２天井パネルを上下方向に位置合わせ可能な位置合わせ機構と、を備え、
前記第１取付部材は、前記第１取付部材をスライドさせるときに操作される操作部を有し、
前記操作部は、前記室内空間から操作可能な位置に配置されるルームユニット。
【請求項２】
前記第２天井パネルは、前記第１外辺部と隣り合う第２外辺部を有し、
前記位置合わせ機構は、前記第２外辺部に取り付けられる第２取付部材を有し、前記第１取付部材の前記第２取付部材に近づく方向へのスライドに連動して、前記第１天井パネル及び前記第２天井パネルを上下方向に位置合わせする請求項１に記載のルームユニット。
【請求項３】
前記位置合わせ機構は、前記第１取付部材に設けられた第１位置決め部と、前記第２取付部材に設けられた第２位置決め部との接触により、前記第１天井パネル及び前記第２天井パネルを上下方向に位置合わせし、
前記第１位置決め部及び前記第２位置決め部のうちの一方は凸部を有し、他方は前記凸部が差し込まれる凹部を有する請求項２に記載のルームユニット。
【請求項４】
前記位置合わせ機構は、前記第１取付部材に設けられた第１位置決め部と、前記第２取付部材に設けられた第２位置決め部との接触により、前記第１天井パネル及び前記第２天井パネルを上下方向に位置合わせし、
前記第１位置決め部及び前記第２位置決め部は、天井パネルと壁パネルの間に形成される隙間を通して前記室内空間から視認可能な位置に配置される請求項２または３に記載のルームユニット。
【請求項５】
前記第１取付部材は、
前記第１外辺部を上下から挟持するとともに前記第１取付部材のスライド方向と直交する水平方向の一方側に向かって開いた挟持部と、
前記第１外辺部と当接することにより前記挟持部からの前記第１外辺部の前記一方側への抜け出しを規制する弾性爪とを有し、
前記弾性爪は、前記一方側が固定端側、前記水平方向の他方側が自由端側となって弾性的に撓み可能な腕部を有する請求項１から４のいずれかに記載のルームユニット。
【請求項６】
前記操作部は、天井パネルと壁パネルの間に形成される隙間を通して前記作業者が手動で操作可能な位置に配置され、
前記隙間を塞ぐ塞ぎ部材を備える請求項１から５のいずれかに記載のルームユニット。
【発明の詳細な説明】
【技術分野】
【０００１】
本発明は、浴室ユニット等のルームユニットに関する。
【背景技術】
【０００２】
浴室ユニットでは、通常、運搬性の観点から、複数の天井パネルを用いて天井面が画定される。このような浴室ユニットを組み立てる場合、意匠性の面から、隣り合う天井パネルの表面の位置を揃える作業（以下、面揃え作業という）が必要となる。
【０００３】
特許文献１には、このような面揃え作業を実現できる浴室ユニットの一例が開示されている。この浴室ユニットでは、隣り合う天井パネルの境界にある内辺部に沿ってスライド可能に複数の連結部材が取り付けられており、この連結部材のスライドにより面揃え作業を実現可能になっている。
【先行技術文献】
【特許文献】
【０００４】
【特許文献１】特開２０１４−１３６９３６号公報
【発明の概要】
【発明が解決しようとする課題】
【０００５】
特許文献１の浴室ユニットでは、天井パネルに設けられた点検口から天井裏空間に作業者の上半身を入れて面揃え作業をすることになる。このため、天井パネルの内辺部の端部のような、点検口から遠い箇所にある連結部材をスライドさせる場合、点検口から身を乗り出しての作業になり、作業性の面で劣っていた。
【０００６】
本発明は、このような課題に鑑みてなされ、その目的は、天井パネルの面揃え作業時に良好な作業性を得られるユニットルームを提供することにある。
【課題を解決するための手段】
【０００７】
本発明の第１態様はユニットルームである。第１態様のユニットルームは、室内空間を画定するとともに隣り合う第１天井パネル及び第２天井パネルと、前記第１天井パネルの第１外辺部に沿ってスライド可能に取り付けられる第１取付部材を有し、前記第１取付部材のスライドに連動して、前記第１天井パネル及び前記第２天井パネルを上下方向に位置合わせ可能な位置合わせ機構と、を備え、前記第１取付部材は、前記第１取付部材をスライドさせるときに操作される操作部を有し、前記操作部は、前記室内空間から操作可能な位置に配置される。
【０００８】
第１態様によれば、隣り合う天井パネルの面揃え作業をする場合に、天井裏空間を作業空間にせずとも室内空間から操作部を操作でき、良好な作業性を得られる。
【図面の簡単な説明】
【０００９】
【図１】本実施形態のルームユニットを示す図である。
【図２】本実施形態の壁パネルと天井パネルの隅部を周辺構造とともに示す断面図である。
【図３】本実施形態のルームユニットの一部を示す分解斜視図である。
【図４】本実施形態の天井パネルと壁パネルの隙間に塞ぎ部材を配置する前の状態を示す図である。
【図５】本実施形態の複数の天井パネルと取付部材を示す平面図である。
【図６】図４の一部の拡大図である。
【図７】本実施形態の取付部材の斜視図である。
【図８】本実施形態の取付部材の平面図である。
【図９】図５の矢視Ａから見た第１取付部材と第２取付部材を模式的に示す図である。
【図１０】図９のＣ−Ｃ線断面図である。
【図１１】本実施形態の室内空間から隙間を通して第１取付部材と第２取付部材を見た図である。
【図１２】本実施形態の第１取付部材と第２取付部材を用いた位置合わせ前の状態を示す図である。
【発明を実施するための形態】
【００１０】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。また、共通点のある別々の構成要素には、名称の冒頭に「第１、第２」等と付し、符号の末尾に「−Ａ、−Ｂ」等と付すことで区別し、総称するときはこれらを省略する。
【００１１】
図１は、本実施形態のルームユニット１２を示す図である。ルームユニット１２は、建物の躯体の内側に配置され、その内側に室内空間１４を形成する。本実施形態のルームユニット１２は浴室ユニットである。ルームユニット１２の内側には室内空間１４として浴室空間が形成される。ルームユニット１２は、四方に配置される複数の壁パネル１６と、複数の壁パネル１６の上方に配置される複数の天井パネル１８とを備える。複数の壁パネル１６と複数の天井パネル１８は室内空間１４を画定する。
【００１２】
図２は、壁パネル１６と天井パネル１８の隅部を周辺構造とともに示す断面図である。図３は、ルームユニット１２の一部を示す分解斜視図である。ルームユニット１２は、図２、図３に示すように、前述の壁パネル１６と、天井パネル１８との他に、床体２０と、ベース２２と、位置決め具２４と、取付部材２６と、塞ぎ部材２８と、締結具３０と、化粧カバー３２とを備える。本実施形態のルームユニット１２は天井パネル１８と取付部材２６の関係に特徴の一つがあるが、先に周辺構造を説明する。
【００１３】
複数の壁パネル１６は、水平方向に並べられる。隣り合う壁パネル１６の側辺部同士は連結部材（不図示）により連結される。壁パネル１６の並び方向の両端側の側辺部は柱材３４（後述する）にビス等を用いて固定される。
【００１４】
図３に示すように、本実施形態の床体２０は床パンであり、建物の躯体の床面上に設置される。
【００１５】
ベース２２は、壁パネル１６や天井パネル１８の固定相手となり、これらを支持する役割をもつ。ベース２２は、壁パネル１６の室外側に配置される。ベース２２は、床体２０の四隅から立ち上がる四本の柱材３４と、四本の柱材３４の上端部を連結する四本のつなぎ材３６とを有する。
【００１６】
四本のつなぎ材３６は平面視で矩形を呈するように設けられる。四本のつなぎ材３６のそれぞれは、四本のつなぎ材３６がなす矩形の各辺に沿って延びる長尺体である。本実施形態のつなぎ材３６は、鋼等の金属を素材とする押出成形品（一体成形品）である。図２に示すように、つなぎ材３６は、上下に延びるガイド部３６ａと、ガイド部３６ａの下端部から室内空間１４とは反対側に向かって延びる載せ部３６ｂを有する。
【００１７】
位置決め具２４は、ベース２２に壁パネル１６を固定するとき、壁パネル１６を法線方向に位置決めするためのものである。位置決め具２４は、つなぎ材３６に取り付けられる。
【００１８】
塞ぎ部材２８は、天井パネル１８の外辺部３８と壁パネル１６の上辺部との間に形成される隙間４０を塞いでいる。これにより、室内空間１４側から見て、この隙間４０を挟んで室内空間１４とは反対側に配置される取付部材２６が覆い隠される。
【００１９】
図４は、天井パネル１８と壁パネル１６の隙間４０に塞ぎ部材２８を配置する前の状態を示す図である。塞ぎ部材２８は、天井パネル１８と壁パネル１６の隙間４０に室内空間１４側から方向Ｐａに差し込み可能な形状である。これは、ルームユニット１２の組み立て時に、前述の隙間４０に差し込み可能な形状であることを意味する。
【００２０】
図２に戻る。本実施形態の締結具３０はねじである。締結具３０は、塞ぎ部材２８と、取付部材２６と、つなぎ材３６のガイド部３６ａとを貫通する。締結具３０は、つなぎ材３６のガイド部３６ａにねじ込まれ、つなぎ材３６とともに塞ぎ部材２８及び取付部材２６を共締めすることで、これらをつなぎ材３６に固定している。これにより、天井パネル１８は取付部材２６を介してつなぎ材３６に固定される。
【００２１】
化粧カバー３２は、後述する塞ぎ部材２８を室内空間１４側から覆い隠すためのものである。化粧カバー３２は、塞ぎ部材２８の室内空間１４に臨む箇所に着脱可能に装着される。
【００２２】
天井パネル１８は、室内空間１４に露出する板状の表面材４２と、表面材４２の裏面に接着等により取り付けられた板状の裏打ち材４４とを有する。本実施形態において、表面材４２は化粧鋼板であり、裏打ち材４４は石膏ボードである。表面材４２は、裏打ち材４４より外周側に広がる主面部４２ａと、主面部４２ａの周縁部から上向きに延びる周壁部４２ｂとを有する。周壁部４２ｂには、周壁部４２ｂの上端部から内周側に折り返す折り返し部４２ｃが設けられる。
【００２３】
図５は、複数の天井パネル１８と取付部材２６を示す平面図である。天井パネル１８は、複数（本例では二枚）を一組として水平方向に並べられており、一つの天井面４６（図１参照）を形成する。天井面４６は、複数の天井パネル１８の並び方向（図１の左右方向）に延びる辺を長辺とし、長辺と隣接する辺を短辺とする矩形状をなす。
【００２４】
天井パネル１８には、隣り合う第１天井パネル１８−Ａと第２天井パネル１８−Ｂとが含まれる。第２天井パネル１８−Ｂには天井裏空間を点検するための点検口４８（図１では不図示）が形成される。点検口４８は不図示の蓋材により塞がれる。
【００２５】
天井パネル１８の四周の辺部には、天井面４６の四周の外辺に沿って設けられる外辺部３８と、外辺部３８以外の箇所に設けられる内辺部３９とが含まれる。天井面４６の一つの第１外辺４７−Ａは、互いに隣り合う第１天井パネル１８−Ａの第１外辺部３８−Ａと第２天井パネル１８−Ｂの第２外辺部３８−Ｂとが形成する。この第１外辺４７−Ａと対辺の関係にある第２外辺４７−Ｂは、互いに隣り合う第１天井パネル１８−Ａの第３外辺部３８−Ｃと第２天井パネル１８−Ｂの第４外辺部３８−Ｄとが形成する。
【００２６】
取付部材２６は、天井パネル１８の各外辺部３８に取り付けられる。取付部材２６は、天井パネル１８の外辺部３８に沿った方向にスライド可能に取り付けられる。以下、取付部材２６がスライド可能な方向をスライド方向Ｘとし、そのスライド方向Ｘと直交する水平方向を前後方向Ｙ（図２参照）とする。前後方向Ｙは、取付部材２６がスライド可能な天井パネル１８の外辺部３８の下方に配置される壁パネル１６を表裏に貫通する方向であり、その壁パネル１６の法線方向でもある。
【００２７】
本実施形態では、複数の取付部材２６が、天井パネル１８の一つの外辺部３８に取り付けられる。一つの外辺部３８に取り付けられる複数の取付部材２６は、取付部材２６のスライド方向Ｘに間隔を空けて配置される。本実施形態の複数の取付部材２６は全て同等の形状をもつ。複数の取付部材２６は、ルームユニット１２が組み立てられた状態にあるとき、室内空間１４に露出しない位置に配置される。これを実現するため、本実施形態の複数の取付部材２６は、図２に示すように、壁パネル１６、天井パネル１８、塞ぎ部材２８の室外側に配置される。
【００２８】
図５に戻り、取付部材２６には、第１天井パネル１８−Ａの第１外辺部３８−Ａに取り付けられる第１取付部材２６−Ａと、第２天井パネル１８−Ｂの第２外辺部３８−Ｂに取り付けられる第２取付部材２６−Ｂとが含まれる。また、取付部材２６には、第１天井パネル１８−Ａの第３外辺部３８−Ｃに取り付けられる第３取付部材２６−Ｃと、第２天井パネル１８−Ｂの第４外辺部３８−Ｄに取り付けられる第４取付部材２６−Ｄとが含まれる。以下、まずは第１取付部材２６−Ａを説明し、他の取付部材２６との共通点は説明を省略する。
【００２９】
図６は、図４の一部の拡大図である。図７は、取付部材２６の斜視図である。本実施形態の取付部材２６は樹脂を用いた射出成形品（一体成形品）である。取付部材２６は、挟持部５０と、操作部５２と、被ガイド部５４と、弾性爪５６とを有する。
【００３０】
挟持部５０は、天井パネル１８の外辺部３８を上下から挟持している。これにより、取付部材２６は、天井パネル１８に対して上下方向での位置が保持される。挟持部５０は、前後方向Ｙの一方側（以下、前側という）に向かって開いている。天井パネル１８の外辺部３８は、挟持部５０内に前後方向Ｙの前側から他方側（以下、後側という）に向けて差し込まれている。
【００３１】
挟持部５０は、天井パネル１８の外辺部３８の上下に設けられる上壁部５０ａ及び下壁部５０ｂと、その外辺部３８より前後方向Ｙの後側に設けられる側壁部５０ｃとを有する。挟持部５０の上壁部５０ａと下壁部５０ｂの間隔は、天井パネル１８の厚みより僅かに小さくなるように設定される。これにより、挟持部５０は、上下に僅かに広がるように弾性変形した状態で設けられ、その弾性変形に起因する弾性反発力により天井パネル１８を挟み込める。
【００３２】
上壁部５０ａには天井パネル１８の裏打ち材４４の裏面と対向する箇所に下向きに突き出るリブ部５０ｄが設けられる。リブ部５０ｄは前後方向Ｙに延びており、スライド方向Ｘに間隔を空けて複数設けられる。リブ部５０ｄには天井パネル１８の裏打ち材４４の裏面に接触する上側スライド面５０ｅが設けられる。上側スライド面５０ｅは前後方向Ｙに延びる平坦面である。下壁部５０ｂには、天井パネル１８の表面材４２の表面に接触する下側スライド面５０ｆが設けられる。下側スライド面５０ｆは前後方向Ｙに延びる平坦面である。下側スライド面５０ｆは上側スライド面５０ｅよりスライド方向Ｘの広い範囲に設けられる。取付部材２６は、つなぎ材３６に固定されていない状態にあるとき、天井パネル１８の表面に対して下側スライド面５０ｆがスライド可能であり、天井パネル１８の裏面に対して上側スライド面５０ｅがスライド可能である。
【００３３】
図８は、取付部材２６の平面図である。上壁部５０ａは、取付部材２６のスライド方向Ｘに間隔を空けて設けられる二つの第１壁部分５０ａａと、二つの第１壁部分５０ａａの前側端部をつなぐ第２壁部分５０ａｂとを有する。
【００３４】
弾性爪５６は、スナップフィット方式により取付部材２６を天井パネル１８に取り付けるためのものである。弾性爪５６は、挟持部５０の二つの第１壁部分５０ａａの間に配置され、第２壁部分５０ａｂに繋がれている。弾性爪５６と第１壁部分５０ａａとの間には切り欠き５８が設けられる。切り欠き５８は、上壁部５０ａの前側部分や側壁部５０ｃの上側部分に連続的に設けられる。
【００３５】
図６に示すように、弾性爪５６は、天井パネル１８の外辺部３８の周壁部４２ｂに内周側から当接することにより、挟持部５０からの外辺部３８の前側への抜け出しを規制する。これにより、取付部材２６は、天井パネル１８に対する前後方向Ｙでの相対位置が保持される。弾性爪５６の詳細は後述する。
【００３６】
操作部５２と被ガイド部５４は、挟持部５０の下壁部５０ｂから下向きに延びる。操作部５２と被ガイド部５４は、取付部材２６の下方に設けられるつなぎ材３６のガイド部３６ａを挟んで前後方向Ｙの両側に配置される。操作部５２はガイド部３６ａより前側に配置され、被ガイド部５４はガイド部３６ａより後側に配置される。被ガイド部５４はつなぎ材３６の載せ部３６ｂ上に載せられている。操作部５２と被ガイド部５４は、取付部材２６をつなぎ材３６上に配置するとき、つなぎ材３６のガイド部３６ａに摺動させつつ下降させることで、取付部材２６をガイドさせる役割を果たす。
【００３７】
操作部５２は、取付部材２６をスライドさせるときに作業者により手動で操作される。詳しくは、操作部５２は、作業者が手の指５８又は工具を用いて、取付部材２６をスライドさせるための外力を付与されることで操作される。操作部５２は、室内空間１４から作業者が手動で操作可能な位置に配置される。より詳しくは、操作部５２は、室内空間１４に上半身を配置した作業者が手動で操作可能な位置に配置される。言い換えると、点検口４８から天井裏空間に上半身を入れずとも作業者が手動で操作可能な位置に配置されているともいえる。この室内空間１４には作業者の上半身の胴部が少なくとも配置されていればよい。
【００３８】
これを実現するため、本実施形態の操作部５２は、壁パネル１６と天井パネル１８の隙間４０に塞ぎ部材２８が配置されていない場合に、その隙間４０を通して室内空間１４から操作可能な位置に配置される。詳しくは、操作部５２は、天井パネル１８の外辺部３８の下方にて天井パネル１８と壁パネル１６の隙間４０の奥側に配置される。操作部５２は、天井パネル１８と壁パネル１６の間に形成される隅部の近傍に配置されるともいえる。
【００３９】
次に、第１取付部材２６−Ａと第２取付部材２６−Ｂの組み合わせの特徴を説明する。第３取付部材２６−Ｃと第４取付部材２６−Ｄの組み合わせは大半の機能が共通しているため、説明を省略する。
【００４０】
図９は、図５の矢視Ａから見た第１取付部材２６−Ａと第２取付部材２６−Ｂを模式的に示す図である。図５の矢視Ｂから見た第２取付部材２６−Ｃと第３取付部材２６−Ｄも同様となる。
【００４１】
第１取付部材２６−Ａと第２取付部材２６−Ｂは第１取付部材２６−Ａのスライド方向Ｘに隣り合う位置に設けられる。第１取付部材２６−Ａと第２取付部材２６−Ｂとにはスライド方向Ｘの両側に第１位置決め部６０と第２位置決め部６２が設けられる。第１取付部材２６−Ａの第１位置決め部６０と第２取付部材２６−Ｂの第２位置決め部６２は互いのスライド方向Ｘに対向する箇所に設けられる。
【００４２】
図１０は、図９のＣ−Ｃ線断面図である。第１位置決め部６０は、図５、図９、図１０に示すように、第１取付部材２６−Ａの側面から突き出る突出壁部６０ａと、突出壁部６０ａの内側に形成される凹部６０ｂとを有する。本実施形態の突出壁部６０ａは、挟持部５０の下壁部５０ｂ及び被ガイド部５４の側面から突き出ている。凹部６０ｂは、スライド方向Ｘの外方に向かって開くとともに、前後方向Ｙの後側に向かって開いている。
【００４３】
第２位置決め部６２は、第２取付部材２６−Ｂの側面から突き出る凸部６２ａを有する。本実施形態の凸部６２ａは、挟持部５０の下壁部５０ｂ及び被ガイド部５４の側面から突き出ている。第２位置決め部６２の凸部６２ａは第１位置決め部６０の凹部６０ｂに差し込まれる。
【００４４】
図１１は、室内空間１４から隙間４０を通して第１取付部材２６−Ａと第２取付部材２６−Ｂを見た図である。本図では、説明のため、第１天井パネル１８−Ａと第２天井パネル１８−Ｂの全体にハッチングを付す。
【００４５】
図１０、図１１に示すように、第１位置決め部６０の凹部６０ｂの内上面と内下面とには第２位置決め部６２の凸部６２ａの上面と下面とが接触しており、これらの接触により第１取付部材２６−Ａと第２取付部材２６−Ｂが上下方向に位置合わせされる。この位置合わせにより、第１取付部材２６−Ａの下側スライド面５０ｆと第２取付部材２６−Ｂの下側スライド面５０ｆも面一に揃えられる。これにより、第１天井パネル１８−Ａの第１外辺部３８−Ａの表面３９ａと、第２天井パネル１８−Ｂの第２外辺部３８−Ｂの表面３９ｂとが面一に揃えられる。つまり、第１天井パネル１８−Ａと第２天井パネル１８−Ｂとが上下方向に位置合わせされる。
【００４６】
図１２は、第１取付部材２６−Ａと第２取付部材２６−Ｂを用いた位置合わせ前の状態を示す図である。第１取付部材２６−Ａの凹部６０ｂには、第１取付部材２６−Ａ及び第２取付部材２６−Ｂの互いに近づく方向Ｐｂへのスライドに連動して、第２取付部材２６−Ｂの凸部６２ａが差し込まれる。これにより、前述の通り、第１天井パネル１８−Ａ及び第２天井パネル１８−Ｂが上下方向に位置合わせされる。このように、第１取付部材２６−Ａと第２取付部材２６−Ｂは、互いに近づく方向へのスライドに連動して、第１天井パネル１８−Ａと第２天井パネル１８−Ｂを上下方向に位置合わせする位置合わせ機構６４を構成する。
【００４７】
なお、凹部６０ｂのスライド方向Ｘの開口周縁部には、本実施形態において、スライド方向Ｘの外方に向かうにつれて拡径する第１テーパー面６０ｃが形成される。また、凸部６２ａの先端部には、スライド方向Ｘの外方に向かうにつれて縮径する第２テーパー面６２ｂが形成される。各テーパー面６０ｃ、６２ｂは、凹部６０ｂに凸部６２ａを差し込むときに、両者の動きをガイドする役割を果たす。
【００４８】
以上のルームユニット１２の組み立て方法を説明する。ルームユニット１２は内組工法を用いて組み立てる。つまり、ルームユニット１２の室内空間１４となるべき箇所を作業空間としてルームユニット１２を組み立てる。
【００４９】
まず、建物の躯体の床面上に床体２０を設置する。この後、床体２０上に複数の柱材３４を設置する。この後、複数の柱材３４の上端部にねじ止め等によりつなぎ材３６を固定し、複数の柱材３４をつなぎ材３６により連結する。この後、つなぎ材３６に位置決め具２４を取り付ける。この後、位置決め具２４により壁パネル１６を前後方向Ｙに位置決めしつつ、壁パネル１６を柱材３４にねじ止め等により固定する。この後、天井パネル１８の外辺部３８に取付部材２６を取り付ける。本実施形態の取付部材２６は、弾性爪５６を用いたスナップフィット方式により、天井パネル１８の外辺部３８に取り付ける。
【００５０】
この後、取付部材２６を取り付けた状態の天井パネル１８を壁パネル１６の上方に配置する。天井パネル１８及び取付部材２６は、つなぎ材３６の載せ部３６ｂ上に取付部材２６の被ガイド部５４を載せるように配置する。このとき、取付部材２６の被ガイド部５４や操作部５２をつなぎ材３６のガイド部３６ａに摺動させつつ下降させる。
【００５１】
この後、図６、図１２に示すように、天井パネル１８と壁パネル１６の隙間４０を通して室内空間１４から第１取付部材２６−Ａや第２取付部材２６−Ｂの操作部５２を手動で操作する。第１取付部材２６−Ａや第２取付部材２６−Ｂは互いに近づく方向Ｐｂにスライドさせるように操作し、第１天井パネル１８−Ａ及び第２天井パネル１８−Ｂを内辺部３９の一端部３９ａ（図５参照）で上下方向に位置合わせする。
【００５２】
この後、同様の作業を第３取付部材２６−Ｃと第４取付部材２６−Ｄを用いて行う。詳しくは、前述の隙間４０を通して室内空間１４から第３取付部材２６−Ｃや第４取付部材２６−Ｄの操作部５２を手動で操作する。第３取付部材２６−Ｃや第４取付部材２６−Ｄは互いに近づく方向にスライドさせるように操作し、第１天井パネル１８−Ａ及び第２天井パネル１８−Ｂを内辺部３９の他端部３９ｂ（図５参照）で上下方向に位置合わせする。これにより、第１天井パネル１８−Ａ及び第２天井パネル１８−Ｂの表面３８ａ、３９−Ｂの位置が内辺部３９の両端部３９ａ、３９ｂで揃えられる。
【００５３】
この後、図４に示すように、天井パネル１８と壁パネル１６の間の隙間４０にルームユニット１２の室内空間１４側から塞ぎ部材２８を差し込む。この後、締結具３０を用いて塞ぎ部材２８とともに取付部材２６をつなぎ材３６に固定する。締結具３０は、室内空間１４側から操作されることでつなぎ材３６にねじ込まれる。この後、塞ぎ部材２８に化粧カバー３２を装着する。
【００５４】
以上のルームユニット１２の作用効果を説明する。
位置合わせ機構６４を構成する第１取付部材２６−Ａと第２取付部材２６−Ｂの操作部５２は、室内空間１４から作業者が手動で操作可能な位置に配置される。よって、隣り合う天井パネル１８の面揃え作業をする場合に、天井裏空間を作業空間にせずとも室内空間１４から操作部５２を操作でき、良好な作業性を得られる。特に、点検口４８から遠い箇所にある内辺部３９の端部３９ａ、３９ｂの面揃え作業を容易にできる点で、良好な作業性を得られる。また、面揃え作業のために広い天井裏空間を確保せずともよくなるため、天井裏空間の小型化を図ることができる。
【００５５】
また、位置合わせ機構６４は、第１位置決め部６０の凸部６２ａと、第２位置決め部６２の凹部６０ｂを組み合わせた単純な構造を用いて、第１天井パネル１８−Ａと第２天井パネル１８−Ｂを位置合わせでき、製品コストの増大を抑えられる。
【００５６】
次に、ルームユニット１２の他の特徴を説明する。
図１１に示すように、取付部材２６は、天井パネル１８と壁パネル１６の隙間４０から塞ぎ部材２８を取り出したとき、室内空間１４から隙間４０を通して視認可能な位置に配置される。詳しくは、第１取付部材２６−Ａの操作部５２、第１位置決め部６０、第２取付部材２６−Ｂの操作部５２、第２位置決め部６２が視認可能な位置に配置される。また、これらは少なくとも一部が視認可能な位置に配置される。
【００５７】
よって、第１取付部材２６−Ａの第１位置決め部６０と第２取付部材２６−Ｂの第２位置決め部６２の取り合い状況を目視でき、両者が正しい位置に配置されているか容易に確認でき、施工の信頼性を確保し易くなる。ここでの正しい位置とは、本実施形態では、第１位置決め部６０の凹部６０ｂ内に第２位置決め部６２の凸部６２ａが差し込まれ、室内空間１４から見て凸部６２ａの少なくとも一部が第１位置決め部６０の突出壁部６０ａにより覆われていることをいう。
【００５８】
図６を参照する。弾性爪５６は、上壁部５０ａの第２壁部分５０ａｂから後側に延びる腕部５６ａと、腕部５６ａの先端側部分から下向きに突き出る爪部５６ｂと、腕部５６ａの先端側側部と爪部５６ｂの側部とを繋ぐ補剛部５６ｃとを有する。
【００５９】
腕部５６ａは、前後方向Ｙの前側（水平方向の一方側）が固定端側、後側（水平方向の他方側）が自由端側となって、弾性的に上下に撓み可能である。本実施形態の腕部５６ａはスライド方向Ｘに幅広な板状をなす。爪部５６ｂは、天井パネル１８の周壁部４２ｂに裏側から当接可能な位置に配置される。補剛部５６ｃは、腕部５６ａの先端部での撓みに対する剛性を高める役割を果たす。弾性爪５６には、取付部材２６の挟持部５０内に天井パネル１８の外辺部３８を入り込ませるとき、その外辺部３８と接触する傾斜面５６ｄを有する。本実施形態では補剛部５６ｃの下面に傾斜面５６ｄが設けられる。
【００６０】
取付部材２６の挟持部５０内には前側から天井パネル１８の外辺部３８を入り込ませる。このとき、天井パネル１８の入り込み量の増大に伴い、天井パネル１８の上部が弾性爪５６の傾斜面５６ｄとの接触により腕部５６ａの自由端部を上向きに押し上げ、腕部５６ａが弾性的に撓む。天井パネル１８の入り込み量が更に増大すると、腕部５６ａが復元することで、天井パネル１８の周壁部４２ｂに裏側から当接可能な位置に爪部５６ｂが配置される。
【００６１】
ここで、弾性爪５６は、前後方向Ｙの前側が固定端、後側が自由端側となって弾性的に撓み可能な腕部５６ａを有する。よって、取付部材２６の挟持部５０から前側に天井パネル１８の外辺部３８が抜け出ようとしたとき、弾性爪５６の腕部５６ａが突っ張ることで撓み難くなり、天井パネル１８の外辺部３８に対する弾性爪５６による当接が解除され難くなる。このため、天井パネル１８の外辺部３８に弾性爪５６を用いて簡易に取付部材２６を取り付けつつ、いったん取り付けた後は天井パネル１８から外し難くできる。
【００６２】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して説明しているが、そのような表記のない内容に設計変更が許容されないわけではない。また、図面の断面に付したハッチングは、ハッチングを付した対象の材質を限定するものではない。
【００６３】
ベース２２は、柱材３４とつなぎ材３６の組み合わせにより構成される例を説明したが、これに限られない。たとえば、ベース２２は、建物の躯体を構成する柱梁等の軸材でもよい。
【００６４】
取付部材２６は、弾性爪５６を用いて天井パネル１８の外辺部３８にスライド可能に取り付けられる例を説明したが、その取り付け手段は特に限られない。
【００６５】
取付部材２６の操作部５２は、天井パネル１８と壁パネル１６の隙間４０を通して室内空間１４から操作可能な位置に配置される例を説明したが、これに限られない。たとえば、取付部材２６の操作部５２は、この隙間４０より室内空間１４側に配置したうえで、塞ぎ部材２８により覆ってもよい。この場合も、操作部５２は、天井パネル１８と壁パネル１６の間に形成される隅部の近傍に配置されることになる。また、この他にも、操作部５２は、壁パネル１６の一部に穴を設けておき、その穴を通して室内空間１４から操作可能な位置に配置されてもよい。いずれにしても、取付部材２６の操作部５２は、室内空間１４から操作可能な位置に配置されていればよい。
【００６６】
位置合わせ機構６４は、第１取付部材２６−Ａと第２取付部材２６−Ｂの互いに近づく方向へのスライドに連動して、第１天井パネル１８−Ａ及び第２天井パネル１８−Ｂを上下方向に位置合わせする例を説明した。この他にも、第２天井パネル１８−Ｂの第２外辺部３８−Ｂに第２取付部材２６−Ｂをスライド不能に取り付け、第１天井パネル１８−Ａのスライドのみに連動して位置合わせしてもよい。
【００６７】
また、この他にも、位置合わせ機構６４に第２取付部材２６−Ｂを含めず、第１取付部材２６−Ａのスライドのみに連動して、第１天井パネル１８−Ａ及び第２天井パネル１８−Ｂを位置合わせするようにしてもよい。この場合、たとえば、第２天井パネル１８−Ｂの第２外辺部３８−Ｂの上下面に接触する接触箇所を第１取付部材２６−Ａに設ける。この接触箇所は、第１取付部材２６−Ａのスライドに連動して第２天井パネル１８−Ｂの第２外辺部３８−Ｂの上下面から離間する離間位置と、その上下面に接触する接触位置との間を移動可能である。この第１取付部材２６−Ａの接触箇所を接触位置に移動させることで第１天井パネル１８−Ａ及び第２天井パネル１８−Ｂを上下方向に位置合わせ可能となる。
【００６８】
また、第１取付部材２６−Ａの第１位置決め部６０が凹部６０ｂを有し、第２取付部材２６−Ｂの第２位置決め部６２が凸部６２ａを有する例を説明した。この他にも、第１位置決め部６０が凸部を有し、第２位置決め部６２が凹部を有してもよい。つまり、第１位置決め部６０及び第２位置決め部６２のうちの一方に凸部を設け、他方に凸部が差し込まれる凹部を設けてもよい。また、第１位置決め部６０と第２位置決め部６２は凸部と凹部の組み合わせに限られるものではない。たとえば、第１位置決め部６０と第２位置決め部６２の両方を凸部とし、第１取付部材２６−Ａと第２取付部材２６−Ｂのスライドに連動して、一方の位置決め部の上に他方の位置決め部が載ることで上下方向に位置決めされてもよい。
【００６９】
以上の実施形態、変形例により具体化される発明を一般化すると、以下の技術的思想が導かれる。以下、発明が解決しようとする課題に記載の態様を用いて説明する。
【００７０】
第２態様のルームユニットは、第１態様において、前記第２天井パネルは、前記第１外辺部と隣り合う第２外辺部を有し、前記位置合わせ機構は、前記第２外辺部に取り付けられる第２取付部材を有し、前記第１取付部材の前記第２取付部材に近づく方向へのスライドに連動して、前記第１天井パネル及び前記第２天井パネルを上下方向に位置合わせしてもよい。
【００７１】
第３態様のルームユニットは、第２態様において、前記位置合わせ機構は、前記第１取付部材に設けられた第１位置決め部と、前記第２取付部材に設けられた第２位置決め部との接触により、前記第１天井パネル及び前記第２天井パネルを上下方向に位置合わせし、前記第１位置決め部及び前記第２位置決め部のうちの一方は凸部を有し、他方は前記凸部が差し込まれる凹部を有してもよい。
この態様によれば、凸部と凹部を組み合わせた単純な構造を用いて、第１天井パネルと第２天井パネルを位置合わせでき、製品コストの増大を抑えられる。
【００７２】
第４態様のルームユニットは、第２態様又は第３態様において、前記位置合わせ機構は、前記第１取付部材に設けられた第１位置決め部と、前記第２取付部材に設けられた第２位置決め部との接触により、前記第１天井パネル及び前記第２天井パネルを上下方向に位置合わせし、前記第１位置決め部及び前記第２位置決め部は、天井パネルと壁パネルの間に形成される隙間を通して前記室内空間から視認可能な位置に配置されてもよい。
この態様によれば、第１取付部材の第１位置決め部と第２取付部材の第２位置決め部の取り合い状況を目視でき、施工の信頼性を確保し易くなる。
【００７３】
第５態様のルームユニットは、第１から第４態様のいずれかにおいて、前記第１取付部材は、前記第１外辺部が内側に配置されるとともに前記第１取付部材のスライド方向と交差する水平方向の一方側に向かって開いた凹部と、前記第１外辺部と当接することにより前記凹部からの前記第１外辺部の前記一方側への抜け出しを規制する弾性爪とを有し、前記弾性爪は、前記一方側が固定端側、前記水平方向の他方側が自由端側となって弾性的に撓み可能な腕部を有してもよい。
この態様によれば、天井パネルの外辺部に弾性爪を用いて簡易に取付部材を取り付けつつ、いったん取り付けた後は天井パネルから外し難くできる。
【００７４】
第６態様のルームユニットは、第１から第５態様のいずれかにおいて、前記操作部は、天井パネルと壁パネルの間に形成される隙間を通して前記作業者が手動で操作可能な位置に配置され、前記隙間を塞ぐ塞ぎ部材を備えてもよい。
【符号の説明】
【００７５】
１２  ルームユニット、  １４  室内空間、  １６  壁パネル、  １８  天井パネル、  １８  第１天井パネル、  １８  第２天井パネル、  ２６−Ａ  第１取付部材、  ２６−Ｂ  第２取付部材、  ２８  塞ぎ部材、  ３８−Ａ  第１外辺部、  ３８ーＢ  第２外辺部、  ４０  隙間、  ４６  天井面、  ４７−Ａ  第１外辺、  ４７ーＢ  第２外辺、  ５０  挟持部、  ５２  操作部、  ５６  弾性爪、  ５６ａ  腕部、  ６０  第１位置合わせ部、  ６０ｂ  凹部、  ６２  第２位置合わせ部、  ６２ａ  凸部、  ６４  位置合わせ機構。
【図１】
2018100581.tif 000003
【図２】
2018100581.tif 000004
【図３】
2018100581.tif 000005
【図４】
2018100581.tif 000006
【図５】
2018100581.tif 000007
【図６】
2018100581.tif 000008
【図７】
2018100581.tif 000009
【図８】
2018100581.tif 000010
【図９】
2018100581.tif 000011
【図１０】
2018100581.tif 000012
【図１１】
2018100581.tif 000013
【図１２】
2018100581.tif 000014